(57)【要約】【課題】フェンスの組み立て、および分解作業が容易となるフェンスの支柱を提供すること。【解決手段】長尺体により形成されるフェンス１００の支柱１であって、支柱１には、上端から長手方向に沿って溝２が形成され、この溝２は、支柱１の内部に形成された孔部２２と、この孔部２２と支柱１の外部とを連通するスリット部２１とから成り、孔部２２の巾は、スリット部２１の巾より大きくしたので、フェンス１００の仕切り体３を溝２に沿って挿入するだけで、フェンス１００の組み立てが完了し、仕切り体３を溝２に沿って上方に持ち上げ、支柱１の上端から引き抜くだけで、フェンス１００の分解が完了する。【選択図】図１
2008019683.tif 000002
【特許請求の範囲】
【請求項１】
支柱により形成されるフェンスの支柱であって、
前記支柱には、上端から長手方向に沿って溝が形成され、
この溝は、
前記支柱の内部に形成された孔部と、
この孔部と前記支柱の外部とを連通するスリット部とから成り、
前記孔部の巾は、前記スリット部の巾より大きいことを特徴とする支柱。
【請求項２】
前記支柱の形状は、円柱形状または多角柱形状であることを特徴とする請求項１に記載の支柱。
【請求項３】
前記支柱は、木材、プラスチック、石、コンクリート、および金属からなる群から選択されるいずれか一種の材質により形成されることを特徴とする請求項１または２に記載の支柱。
【請求項４】
前記孔部は、略一文字形状、略Ｖ字形状、略三角形状、および略円形状からなる群から選択されるいずれか一種の形状に形成されることを特徴とする請求項１から３のいずれかに記載の支柱。
【請求項５】
請求項１から４のいずれかに記載の支柱と、この支柱に支持され、空間を仕切る仕切り体と、この仕切り体を前記支柱に取り付ける取付装置とからなるフェンスの取付構造であって、
前記取付装置は、
前記仕切り体と係合する係合部と、
この係合部から延出する腕部と、
この腕部の延出方向の先端側に設けられ、前記取付装置と前記支柱を固定する固定部とから成り、
前記固定部は、
前記腕部の先端から延出し、雄ねじが形成された軸部と、
雌ねじの形状で形成された開口部を有し、この開口部により前記軸部と螺合する固定片とから成り、
前記軸部は、前記軸部の外径である軸外径が前記支柱の前記スリット部の巾より小さい寸法で形成され、
前記固定片の一部は、前記軸部の延出方向に略直交する方向の巾が前記スリット部の巾より大きい寸法で形成されることを特徴とするフェンスの取付構造。
【発明の詳細な説明】
【技術分野】
【０００１】
本発明は、フェンスの支柱に関する。特に支柱の長手方向に沿って溝が形成されるフェンスの支柱に関する。
【背景技術】
【０００２】
従来より、互いに隣接する敷地を仕切り敷地境界を明確にするためや、家屋が建てられた敷地への侵入防止のためや、敷地内を目隠しするためにブロック塀が設けられてきた。
このブロック塀は、コンクリート製の基礎の上に、ブロックを積むことにより形成される。
【０００３】
しかしながら、地震大国である日本においては、地震が起きた場合のことを考慮する必要がある。このようなブロック塀は、重量が重いため、地震の大きさによっては倒壊し、大きな事故につながるおそれがある。また、ブロック塀は、ブロックとブロックの間に鉄筋を入れながら一段ずつ積んでいくため、設置に多大な労力を要する。
そこで、軽量で設置が容易なフェンスが提案されている。
【０００４】
このようなフェンスとしては、例えば、複数の支柱と、支柱間に架け渡された上下の横桟と、この横桟に支持されたフェンス部材とを備えてなるフェンスにおいて、横桟を中空構造とし、支柱に取り付けられた取付金具を横桟の中空部分に挿入し、横桟の外方から挿入された固定具でフェンス部材を支持させた横桟を支柱に固定するフェンスの固定構造が提案されている（特許文献１参照）。
このフェンスの固定構造によれば、中空構造にしたことで、軽量化が図れるので、その取り扱いが容易となる。
【特許文献１】特開２００２−４６４７号公報
【発明の開示】
【発明が解決しようとする課題】
【０００５】
しかしながら、このようなフェンスの固定構造により、フェンスを組み立て、または分解するためには、複数の部品を、道具を使って、組み立て、または分解する必要があり、組み立て、または分解作業が煩雑であった。
ここで、多雪地域にこのようなフェンスを設置した場合に、大量の雪が降ると、フェンス部材に大量の雪が積もり、雪の重みでフェンス部材が押し倒され、この押し倒されたフェンス部材に引っ張られることで支柱も破壊される場合がある。
よって、大量の雪が降るおそれがあるときには、フェンスのフェンス部材だけ取り外したいという要望がある。
しかし、通常、フェンスは数十メートルに亘って設置されているので、フェンスの分解作業が煩雑であると、全てのフェンス部材を取り外し、再び取り付けることは容易ではない。
【０００６】
本発明は、以上のような課題に鑑みてなされたものであり、フェンスの組み立て、および分解作業が容易となるフェンスの支柱を提供することを目的とする。
【課題を解決するための手段】
【０００７】
本発明では、以下のようなものを提供する。
【０００８】
（１）  長尺体により形成されるフェンスの支柱であって、前記支柱には、上端から長手方向に沿って溝が形成され、この溝は、前記支柱の内部に形成された孔部と、この孔部と前記支柱の外部とを連通するスリット部とから成り、前記孔部の巾は、前記スリット部の巾より大きいことを特徴とする支柱。
【０００９】
（１）の発明によれば、長尺体により形成されたフェンスの支柱に、上端から長手方向に沿って溝を形成し、この溝を支柱の内部に形成した孔部と、この孔部と支柱の外部とを連通するスリット部とで構成し、孔部の巾をスリット部の巾より大きくした。
ここで、通常、フェンスは、網体やパネル等で形成され空間を仕切る仕切り体と、この仕切り体を支持する支柱と、仕切り体を支柱に取り付ける取付装置とで構成される。
よって、この支柱を用いてフェンスを組み立て、および分解する手順は、以下のようになる。
まず、この長尺体により形成した支柱を、仕切り体の巾に合わせて、地面、または地面に埋設した基礎の上に設置する。ここで、仕切り体には、ワイヤーメッシュ、パネル、パンチングメタル等の一般的に流通している物を使用することができる。
次に、仕切り体の略鉛直方向に形成された辺の下端部を、支柱の上面に近接させ、支柱の上端から長手方向に沿って形成した溝に、上方から下方に挿入する。以上の手順の作業だけで、フェンスの組み立てが完了する。また、仕切り体を溝に沿って上方に持ち上げ、支柱の上端から引き抜くだけで、フェンスの分解が完了する。
したがって、フェンスの組み立て、および分解作業が容易となる。
【００１０】
さらに、溝を支柱の内部に形成した孔部と、この孔部と支柱の外部とを連通するスリット部とで構成し、孔部の巾をスリット部の巾より大きくした。
よって、例えば、一般的に流通している金物を仕切り体の略鉛直方向に形成された辺に取り付けたり、この辺を仕切り体の表面から突出するように屈曲させる等の簡易な手段により、仕切り体の表面から突出する突出部を設ける。この突出部の出巾を溝の孔部の巾より小さく、かつ溝のスリット部の巾より大きくすることで、このような突出部を仕切り体に設けた場合でも、仕切り体の略鉛直方向に形成された辺の下端部を、支柱の上面に近接させ、仕切り体の下端をスリット部に近接させ、突出部を孔部に近接させ、溝に沿って挿入するだけで、フェンスの組み立てが完了し、仕切り体を溝に沿って上方に持ち上げ、支柱の上端から引き抜くだけで、フェンスの分解が完了する。
また、フェンスの組み立てが完了すると、仕切り体の突出部が支柱の孔部に係合するので、仕切り体が支柱から略水平方向に向けて抜けるのを防止し、確実に仕切り体を支柱に固定できる。
したがって、フェンスの組み立て、および分解作業が容易になるとともに、フェンスの組み立てが完了したときは、フェンスの安定性を向上できる。
【００１１】
（２）  前記支柱の形状は、円柱形状または多角柱形状であることを特徴とする（１）に記載の支柱。
【００１２】
（２）の発明によれば、支柱の形状を円柱形状または多角柱形状としたので、一般に流通している既成の材料の中から、フェンスの使用目的および美観に応じた形状を選択できる。よって、フェンスの経済性とデザイン性とをともに向上できる。
【００１３】
（３）  前記支柱は、木材、プラスチック、石、コンクリート、および金属からなる群から選択されるいずれか一種の材質により形成されることを特徴とする（１）または（２）に記載の支柱。
【００１４】
（３）の発明によれば、支柱を、木材、プラスチック、石、コンクリート、および金属からなる群から選択されるいずれか一種の材質により形成したので、支柱の加工が容易となり、一般的に流通している道具を用いて、支柱に溝を形成できる。よって、支柱の大量生産が可能となり、支柱を安価で市場に供給できる。
【００１５】
（４）  前記孔部は、略一文字形状、略Ｖ字形状、略三角形状、および略円形状からなる群から選択されるいずれか一種の形状に形成されることを特徴とする（１）から（３）のいずれかに記載の支柱。
【００１６】
（４）の発明によれば、孔部を、略一文字形状、略Ｖ字形状、略三角形状、および略円形状からなる群から選択されるいずれか一種の形状に形成したので、上述の仕切り体の突出部の形状を、フェンスの使用目的に応じた様々な形状としても、この突出部と孔部とを係合できる。
【００１７】
（５）  （１）から（４）のいずれかに記載の支柱と、この支柱に支持され、空間を仕切る仕切り体と、この仕切り体を前記支柱に取り付ける取付装置とからなるフェンスの取付構造であって、前記取付装置は、前記仕切り体と係合する係合部と、この係合部から延出する腕部と、この腕部の延出方向の先端側に設けられ、前記溝に挿入されて前記取付装置と前記支柱とを固定する固定部とから成り、前記固定部は、前記腕部の先端から延出し、雄ねじが形成された軸部と、雌ねじの形状で形成された開口部を有し、この開口部により前記軸部と螺合する固定片とから成り、前記軸部は、前記軸部の外径である軸外径が前記支柱の前記スリット部の巾より小さい寸法で形成され、前記固定片の一部は、前記軸部の延出方向に略直交する方向の巾が前記スリット部の巾より大きい寸法で形成されることを特徴とするフェンスの取付構造。
【００１８】
（５）の発明によれば、支柱、仕切り体、および仕切り体を支柱に取り付ける取付装置とで構成したフェンスの取付構造の取付装置を、仕切り体と係合する係合部、この係合部から延出する腕部、この腕部の延出方向の先端側に設けられ、支柱の溝に挿入されて取付装置と支柱とを固定する固定部とで構成した。
よって、取付装置を介して、仕切り体を支柱によって支持できるので、取付装置の腕部の長さを変えることで、仕切り体と支柱との距離を任意の距離としつつ、仕切り体を支柱によって支持できる。
例えば、隣地や道路との境界線上にフェンスを設置する場合、この境界線上に縁石やアスファルトが敷設されていると支柱を設置することが困難であるので、支柱を境界線から下がった土が露出している部分に設置し、仕切り体を取付装置により境界線上まで持ち出して支持することで、境界線上に仕切り体を配置することができる。
【００１９】
また、取付装置の固定部を、腕部の先端から延出し雄ねじが形成された軸部と、雌ねじの形状で形成された開口部を有しこの開口部により軸部と螺合する固定片と、で構成し、軸部を軸部の外径である軸外径が支柱のスリット部の巾より小さい寸法で形成し、固定片の一部を、軸部の延出方向に略直交する方向の巾がスリット部の巾より大きい寸法で形成した。
よって、取付装置を支柱に固定する手順は、以下のようになる。
まず、地面等に設置した支柱の溝に、略水平方向から取付装置の固定部を近接させる。このとき、固定片を軸部の先端に螺合させ、この固定片のスリット部の巾より大きい寸法で形成した部分を、支柱の長手方向に形成されたスリット部に沿うように配置し、スリット部を挿通させて、孔部まで挿入する。次に、軸部を回動させて、孔部の内部で、固定片のスリット部の巾より大きい寸法で形成した部分を、支柱の長手方向に沿う方向からずらして配置する。すると、軸部を挿入した方向と反対の方向に引っ張ると、固定片は、スリット部から抜けず、孔部のスリット部が設けられた側の側壁に当接する。固定片を孔部の側壁に当接させた状態で、軸部を所定方向に回転させると、固定片は側壁との摩擦により回動しないで、当節した状態が維持される。一方、軸部の先端は、軸部を挿入した方向に回転しながら挿入しつづける。軸部の先端は、やがて、孔部のスリット部が設けられた側と反対側の側壁に当接する。すると、軸部の先端、および固定片により、孔部の互いに対向する側壁を押圧することで、取付装置を支柱に固定できる。
また、取付装置を支柱から取り外す場合は、軸部を上記の所定の方向と反対方向に回転させると、軸部の先端と固定片とにより孔部の互いに対向する側壁を押圧した状態を解除できる。その後、固定片のスリット部の巾より大きい寸法で形成した部分を、支柱の長手方向に形成されたスリット部に沿うように配置し、軸部を挿入した方向と反対の方向に引っ張ることで、取付装置を支柱から取り外すことができる。
【００２０】
すなわち、取付装置の固定片を支柱の溝の任意の位置に、挿入し、軸部を所定方向に回転させるだけで、取付装置を支柱に固定でき、この取付装置の係合部に仕切り体を係合するだけで、フェンスを組み立てることができる。また、このフェンスを分解する場合は、取付装置の係合部から仕切り体を外し、取付装置の軸部を所定方向と反対方向に回転させ、取付装置を支柱から取り外すだけで、フェンスを分解することができる。
したがって、フェンスの組み立て、および分解作業が容易になるとともに、フェンスの設置位置の自由度を向上し、フェンスの組み立てが完了したときは、フェンスの安定性を向上できる。
【発明の効果】
【００２１】
本発明によれば、長尺体により形成した支柱を、仕切り体の巾に合わせて、地面、または地面に埋設した基礎の上に設置する。次に、仕切り体の略鉛直方向に形成された辺の下端部を、支柱の上面に近接させ、支柱の上端から長手方向に沿って形成した溝に、上方から下方に挿入する。以上の手順の作業だけで、フェンスの組み立てが完了する。また、仕切り体を溝に沿って上方に持ち上げ、支柱の上端から引き抜くだけで、フェンスの分解が完了する。
したがって、フェンスの組み立て、および分解作業が容易となる。
【発明を実施するための最良の形態】
【００２２】
＜第１実施形態＞
図１は、本発明の第１実施形態に係る支柱１の斜視図である。
支柱１は、略直方体形状に形成されている。この支柱１の４つ側面１ａの略中央には、それぞれ、支柱１の上端面１ｂから下端面１ｃまで長手方向に沿って溝２が形成されている。また、支柱１の上端面１ｂや下端面１ｃには、後述する基礎４の支持棒４１（図４参照）が挿入される支持穴１１が形成されている。支柱１は、木材により形成されている。
【００２３】
なお、支柱１を略直方体形状に形成したが、これに限らず、支柱１を円柱形状または略直方体以外の多角柱形状に形成してもよい。
また、支柱１を木材により形成したが、これに限らず、支柱１をプラスチック、石、コンクリート、および金属からなる群から選択されるいずれか一種の材質により形成してもよい。
【００２４】
図２は、本発明の第１実施形態に係る支柱１の上面図である。
溝２は、支柱１の内部に形成され、断面形状が略一文字形状の孔部２２と、この孔部２２と支柱１の外部とを連通し、断面形状が略Ｉ字形状のスリット部２１とから構成されている。すなわち、溝２の断面形状は、略Ｔ字形状に形成されている。
【００２５】
なお、孔部２２の断面形状を略一文字形状に形成したが、これに限らず、孔部２２の断面形状は、略一文字形状、略Ｖ字形状、略三角形状、および略円形状からなる群から選択されるいずれか一種の形状に形成してもよい。
【００２６】
図３は、本発明の第１実施形態に係る支柱１の側面図である。
支柱１の溝２は、以下の手順で形成される。
まず、Ｉ字型の歯をルーターに装着し、このルーターを支柱１の上端面１ｂから下端面１ｃまで長手方向に沿って、Ｉ字型の歯を回転させながら移動することで、スリット部２１を形成する。次に、このスリット部２１の巾より小さい軸の先端に、この軸に略直交する方向に向けて円形状の歯をルーターに装着し、このルーターを支柱１の上端面１ｂから下端面１ｃまで長手方向に沿って、円形状の歯を回転させながら移動することで、孔部２２を形成する。
なお、溝２は、Ｉ字型の歯の先端に、このＩ字型の歯に略直交する方向に向けた円形状の歯を設けたルーターにより、１段階で形成することもできる。
【００２７】
図４は、本発明の第１実施形態に係るフェンス１００の斜視図である。
フェンス１００は、空間を仕切る仕切り体３と、この仕切り体３を支持する支柱１と、この支柱１を支持する基礎４とで構成されている。また、フェンス１００は、所定方向に沿って、略一直線状に複数の支柱１を順次配置している。
【００２８】
仕切り体３は、矩形形状のワイヤーメッシュにより形成されている。この仕切り体３の厚さは、支柱１のスリット部２１の巾より小さい寸法である。この仕切り体３の互いに対向する辺には、それぞれ、Ｉ字状に形成されたプレート３１が固着されている。このプレート３１の巾は、支柱１の孔部２２の巾より小さい寸法である。
【００２９】
基礎４は、上面から下面に向けて径が徐々に広がる円柱体状に形成されている。この基礎４は、コンクリートにより形成されている。また、基礎４には、支柱１に形成された支持穴１１に挿入する支持棒４１の一部が埋設され、基礎４の上面には、支持棒４１の一部が略鉛直方向に向けて突出している。
【００３０】
図５は、本発明の第１実施形態に係る取付部分の部分断面図である。
次に、フェンス１００を組み立て、および分解する手順について説明する。
まず、仕切り体３の巾を所定間隔として、この所定間隔で、基礎４の一部を地中に埋設する。次に、この埋設した基礎４の支持棒４１に支柱１の下端面１ｃの支持穴１１に挿入することで、基礎４の上に支柱１を設置する。次に、仕切り体３を支柱１の上端面１ｂの上方に配置する。その後、仕切り体３のプレート３１を上端面１ｂに形成されている孔部２２近接させ、支柱１の溝２に沿って、上端面１ｂから下端面１ｃ向けて挿入する。以上の手順で、フェンスの組み立てが完了する。
また、フェンス１００を分解する場合は、仕切り体３を溝２に沿って上方に持ち上げ、支柱１の上端面１ｂから引き抜くだけで、フェンスの分解が完了する。
【００３１】
本実施形態によれば、以下のような効果がある。
（１）仕切り体３にプレート３１を設けた場合でも、プレート３１を孔部２２に近接させ、溝２に沿って挿入するだけで、フェンス１００の組み立てが完了し、仕切り体３を溝２に沿って上方に持ち上げ、支柱１の上端面１ｂから引き抜くだけで、フェンス１００の分解が完了する。
また、フェンス１００の組み立てが完了すると、仕切り体３のプレート３１が支柱１の孔部２２に係合するので、仕切り体３が支柱１から略水平方向に向けて抜けるのを防止し、確実に仕切り体３を支柱１に固定できる。
したがって、フェンスの組み立て、および分解作業が容易になるとともに、フェンスの組み立てが完了したときは、フェンスの安定性を向上できる。
【００３２】
（２）支柱１の形状を円柱形状または多角柱形状とすることを可能としたので、一般に流通している既成の材料の中から、フェンス１００の使用目的および美観に応じた形状を選択できる。よって、フェンス１００の経済性とデザイン性とをともに向上できる。
【００３３】
（３）支柱を、木材、プラスチック、石、コンクリート、および金属からなる群から選択されるいずれか一種の材質により形成することを可能にしたので、支柱の加工が容易となり、一般的に流通している道具を用いて、支柱に溝を形成できる。よって、支柱の大量生産が可能となり、支柱を安価で市場に供給できる。
【００３４】
（４）孔部２２を、略一文字形状、略Ｖ字形状、略三角形状、および略円形状からなる群から選択されるいずれか一種の形状に形成したので、プレート３１に限らず、仕切り体３の端部の形状を、フェンス１００の使用目的に応じた様々な形状としても、この仕切り体３の端部と孔部２２とを係合できる。
【００３５】
＜第２実施形態＞
以下の第２実施形態の説明にあたって、第１実施形態と同一構成要件については同一符号を付し、その説明を省略もしくは簡略化する。
図６は、本発明の第２実施形態に係るフェンス２００の斜視図である。
第２実施形態では、複数の支柱１を略矩形状に配置し、基礎４を設けていない点が、第１実施形態と異なる。
フェンス２００は、空間を仕切る仕切り体３と、この仕切り体３を支持する支柱１とで構成されている。また、フェンス２００は、所定方向に沿って、複数の支柱１を略矩形状に配置している。
このように、所定の空間を囲うように、複数の支柱１と仕切り体３とを配置することで、基礎を設けなくても、フェンス２００を自立させることができる。
【００３６】
＜第３実施形態＞
以下の第３実施形態の説明にあたって、第１実施形態と同一構成要件については同一符号を付し、その説明を省略もしくは簡略化する。
図７は、本発明の第３実施形態に係る取付構造１０の斜視図である。
第３実施形態では、仕切り体３を、取付構造１０を介して、支柱１に支持している点が、第１実施形態と異なる。
取付構造１０は、仕切り体３と係合する係合部５１と、この係合部５１から延出する腕部５２と、この腕部５２の延出方向の先端側に設けられ、取付装置５と支柱１を固定する固定部５３とで構成されている。
【００３７】
係合部５１は、しゃもじ型のプレートにより形成されている。この係合部５１の先端側には、欠き込み部５１１が形成されている。この欠き込み部５１１は、仕切り体３を形成する複数のワイヤーのいずれかと係合する。また、係合部５１には、係合した仕切り体３を固定するためのバンド孔５１２が形成されている。この係合部５１の基端側には、腕部５２が棒状体を形成して延出している。
【００３８】
固定部５３は、腕部５２の先端から延出し、雄ねじが形成された軸部５３１と、雌ねじの形状で形成された開口部５３２ａを有し、この開口部５３２ａにより軸部５３１と螺合する固定片５３２と、円板状体の略中心に雌ねじの形状で形成された開口部５３３ａを有し、この開口部５３３ａにより軸部５３１と螺合する円板片５３３とで構成されている。
【００３９】
軸部５３１は、軸部５３１の外径である軸外径が支柱１のスリット部２１の巾より小さい寸法で形成され、固定片５３２の一部は、軸部５３１の延出方向に略直交する方向の巾がスリット部２１の巾より大きい寸法で形成されている。また、円板片５３３の開口部５３３ａの周囲には、複数のビス孔が形成されている。
【００４０】
図８は、本発明の第３実施形態に係る取付構造１０の部分断面図である。
次に、取付装置５を支柱１に取り付け、および取り外す手順について説明する。
まず、取付装置５において、固定片５３２を軸部５３１の先端側に配置し、円板片５３３を腕部５２側に配置する。次に、取付装置５を支柱１の上端面１ｂの上方に配置する。その後、取付装置５の固定片５３２を上端面１ｂに形成されている孔部２２に近接させ、支柱１の溝２に沿って、上端面１ｂから下端面１ｃに向けて挿入する。取付装置５を地面から所定の高さで配置し、軸部５３１を支柱１から離す方向に引っ張ると、固定片５３２は、孔部２２のスリット部２１が設けられた側の側壁２２ａに当接する。固定片５３２を孔部２２の側壁２２ａに当接させた状態で、軸部５３１を所定方向に回転させると、固定片５３２は側壁２２ａとの摩擦により回動しないで、当節させた状態が維持される。一方、軸部５３１の先端は、支柱１の中心方向に回転しながら挿入しつづける。軸部５３１の先端は、やがて、孔部２２のスリット部２１が設けられた側と反対側の側壁２２ｂに当接する。すると、軸部５３１の先端、および固定片５３２により、孔部２２の互いに対向する側壁２２ａ、２２ｂを押圧することで、取付装置５を支柱１に固定できる。さらに、円板片５３３を所定方向に回転させて、支柱１の側面１ａに当接させ、必要に応じて円板片５３３のビス孔から支柱１にビスをねじ込むことで、取付装置５を支柱１にさらに強固に固定できる。
【００４１】
また、取付装置５を支柱１から取り外す場合は、円板片５３３を所定方向と反対方向に回転させてから、軸部５３１を上記の所定の方向と反対方向に回転させると、軸部５３１の先端と固定片５３２とにより孔部２２の互いに対向する側壁２２ａ、２２ｂを押圧した状態を解除できる。その後、取付装置５を溝２に沿って上方に持ち上げ、支柱１の上端面１ｂから引き抜くと、取付装置５を支柱１から取り外すことができる。
【００４２】
さらに、固定片５３２の一部を、軸部５３１の延出方向に略直交する方向の巾がスリット部２１の巾より大きい寸法で形成するとともに、固定片５３２のその他の部分をスリット部２１の巾より小さい寸法で形成することで、以下の手順で、取付装置５を支柱１に取り付け、および取り外すことができる。
【００４３】
まず、固定片５３２を軸部５３１の先端側に配置し、円板片５３３を腕部５２側に配置する。次に、基礎４に設置した支柱１の溝２に、略水平方向から取付装置５の固定部５３を近接させる。このとき、この固定片のスリット部２１の巾より大きい寸法で形成した部分を、支柱１の長手方向に形成されたスリット部２１に沿うように配置し、スリット部２１を挿通させて、孔部２２まで挿入する。次に、軸部５３１を回動させて、孔部２２の内部で、固定片５３２のスリット部２１の巾より大きい寸法で形成した部分を、支柱１の長手方向に沿う方向からずらして配置する。すると、軸部５３１を挿入した方向と反対の方向に引っ張ると、固定片５３２は、スリット部２１から抜けず、孔部２２のスリット部２１が設けられた側の側壁２２ａに当接する。固定片５３２を孔部２２の側壁２２ａに当接させた状態で、軸部５３１を所定方向に回転させると、固定片５３２は側壁２２ａとの摩擦により回動しないで、当節させた状態が維持される。一方、軸部５３１の先端は、軸部５３１を挿入した方向に回転しながら挿入しつづける。軸部５３１の先端は、やがて、孔部２２のスリット部２１が設けられた側と反対側の側壁２２ｂに当接する。すると、軸部５３１の先端、および固定片５３２により、孔部２２の互いに対向する側壁２２ａ、２２ｂを押圧することで、取付装置５を支柱１に固定できる。さらに、円板片５３３を所定方向に回転させて、支柱１の側面１ａに当接させ、必要に応じて円板片５３３のビス孔から支柱１にビスをねじ込むことで、取付装置５を支柱１にさらに強固に固定できる。
【００４４】
また、取付装置５を支柱１から取り外す場合は、円板片５３３を所定方向と反対方向に回転させてから、軸部５３１を上記の所定の方向と反対方向に回転させると、軸部５３１の先端と固定片５３２とにより孔部２２の互いに対向する側壁２２ａ、２２ｂを押圧した状態を解除できる。その後、固定片５３２のスリット部２１の巾より大きい寸法で形成した部分を、支柱１の長手方向に形成されたスリット部２１に沿うように配置し、軸部５３１を挿入した方向と反対の方向に引っ張ることで、取付装置５を支柱１から取り外すことができる。
【００４５】
本実施形態によれば、以下のような効果がある。
（５）取付装置５を介して、仕切り体３を支柱１によって支持できるので、取付装置５の腕部５２の長さを変えることで、仕切り体３と支柱１との距離を任意の距離としつつ、仕切り体３を支柱１によって支持できる。
例えば、隣地や道路との境界線上にフェンス１００を設置する場合、この境界線上に縁石やアスファルトが敷設されていると支柱を設置することが困難であるので、支柱１を境界線から下がった土が露出している部分に設置し、仕切り体３を取付装置５により境界線上まで持ち出して支持することで、境界線上に仕切り体３を配置することができる。
【００４６】
また、取付装置５の固定片５３２を支柱１の溝２の任意の位置に、挿入し、軸部５３１を所定方向に回転させるだけで、取付装置５を支柱１に固定でき、この取付装置５の係合部５１に仕切り体３を係合するだけで、フェンス１００を組み立てることができる。また、このフェンス１００を分解する場合は、取付装置５の係合部５１から仕切り体３を外し、取付装置５の軸部５３１を所定方向と反対方向に回転させ、取付装置５を支柱１から取り外すだけで、フェンス１００を分解することができる。
したがって、フェンス１００の組み立て、および分解作業が容易になるとともに、フェンス１００の設置位置の自由度を向上し、フェンス１００の組み立てが完了したときは、フェンス１００の安定性を向上できる。
【００４７】
＜第４実施形態＞
以下の第４実施形態の説明にあたって、第３実施形態と同一構成要件については同一符号を付し、その説明を省略もしくは簡略化する。
図９は、本発明の第４実施形態に係る取付装置５ａの斜視図である。
【００４８】
第４実施形態では、第３実施形態の腕部５２に相当する部材としての腕部５２ａと、固定部５３に相当する部材としての固定部５３ａと、腕部５２ａと固定部５３ａとを接続する中継部５５とを備えた点が第３実施形態と異なる。
腕部５２ａは、先端側に、雄ねじが形成され、中継部５５と螺合可能となっている。また、固定部５３ａは、基端側に、雄ねじが形成され、中継部５５と螺合可能となっている。
【００４９】
中継部５５は、両端に雄ねじが形成された中継軸部５５ａと、この中継軸部５５ａの両端に設けられ、腕部５２ａ、固定部５３ａ、および中継軸部５５ａの雄ねじと螺合する雌ねじが形成されたナット部５５ｂとを備える。
【００５０】
このように、中継軸部５５ａを設けたことで、取付装置５ａの長さを調整できる。また、腕部５２ａと中継軸部５５ａとを螺合したので、ナット部５５ｂを回転することで、微調整も可能となる。
【００５１】
＜応用実施形態＞
以下の応用実施形態の説明にあたって、第４実施形態と同一構成要件については同一符号を付し、その説明を省略もしくは簡略化する。
図１０は、本発明の応用実施形態に係る取付構造２０の斜視図である。
応用実施形態では、第４実施形態の係合部５１および腕部５２ａの代わりに、固定部５３ａを設けた取付装置５ｂを、構造物の支柱の補強装置として用いている。
取付装置５ｂは、２つの固定部５３ａと、これら２つの固定部５３ａの間に、ナット部５５ｂを介して設けた中継軸部５５ａとを備える。
【００５２】
取付構造２０では、構造物の支柱として複数の支柱１を所定の間隔で設け、これらの支柱１を互いに、取付構造２０を用いて連結したものである。
このような取付構造２０を用いることで、それぞれの支柱１を固定部５３ａにより固定することで、取付装置５ｂを構造用筋交いとして用いることができる。
よって、簡易かつ強固な構造用筋交いを提供できる。
【００５３】
上記のような本願発明に係る実施形態は、例えば、隣地との境界の形成、敷地内の目隠し、敷地内への侵入防止、動物の檻、幼稚園児の遊び場の区画、池や川等の危険地域の防護柵等の多様な用途に用いられる。
【００５４】
なお、本発明は前記実施形態に限定されるものではなく、本発明の目的を達成できる範囲での変形、改良等は本発明に含まれるものである。
例えば、前記実施形態では、支柱１の４つの側面１ａのそれぞれに、溝２を形成したが、これに限らず、支柱１のいずれかの１つの側面１ａに形成することや、２つ、もしくは３つの側面１ａに形成してもよい。
また、基礎４の上面および下面を円形状に形成したが、これに限らず、基礎４の上面および下面を矩形状に形成してもよい。
【図面の簡単な説明】
【００５５】
【図１】本発明の第１実施形態に係る支柱の斜視図である。
【図２】本発明の第１実施形態に係る支柱の上面図である。
【図３】本発明の第１実施形態に係る支柱の側面図である。
【図４】本発明の第１実施形態に係るフェンスの斜視図である。
【図５】本発明の第１実施形態に係る取付部分の部分断面図である。
【図６】本発明の第２実施形態に係るフェンスの斜視図である。
【図７】本発明の第３実施形態に係る取付構造の斜視図である。
【図８】本発明の第３実施形態に係る取付構造の部分断面図である。
【図９】本発明の第４実施形態に係る取付装置の斜視図である。
【図１０】本発明の応用実施形態に係る取付構造の斜視図である。
【符号の説明】
【００５６】
１    支柱
２    溝
３    仕切り体
５    取付装置
２１  スリット部
２２  孔部
５１  係合部
５２  腕部
５３  固定部
１００  フェンス
５３１  軸部
５３２  固定片
５３２ａ  開口部
【図１】
2008019683.tif 000003
【図２】
2008019683.tif 000004
【図３】
2008019683.tif 000005
【図４】
2008019683.tif 000006
【図５】
2008019683.tif 000007
【図６】
2008019683.tif 000008
【図７】
2008019683.tif 000009
【図８】
2008019683.tif 000010
【図９】
2008019683.tif 000011
【図１０】
2008019683.tif 000012